(57)【特許請求の範囲】
【請求項１】
転舵輪を転舵するステアリング機構に入力される操舵トルクを検出する操舵トルク検出手段と、前記ステアリング機構に操舵補助力を付与する電動モータと、前記操舵トルクに基づいて操舵補助電流指令値を演算し、演算した操舵補助電流指令値に基づいて前記電動モータを制御する制御手段とを有する電動パワーステアリング装置であって、
車両のステア状態がアンダーステアであるかオーバーステアであるかを検出するステア状態検出手段と、前記転舵輪側から前記ステアリング機構に入力されるセルフアライニングトルクを検出するセルフアライニングトルク検出手段と、車両の横力を検出する横力検出手段と、該横力検出手段で検出した横力に基づいてセルフアライニングトルクを推定するセルフアライニングトルク推定手段と、前記セルフアライニングトルク検出手段で検出したセルフアライニングトルク検出値と、前記セルフアライニングトルク推定手段で推定したセルフアライニングトルク推定値との偏差を、タイヤのグリップ力が失われた度合を表すグリップロス度として検出するグリップロス度検出手段と、前記操舵補助電流指令値に対して慣性補償する慣性補償手段と、少なくとも前記ステア状態検出手段で検出したステア状態と前記グリップロス度検出手段で検出したグリップロス度とに基づいて前記慣性補償手段の慣性補償値を補正する補償値補正手段とを備えたことを特徴とする電動パワーステアリング装置。
【請求項２】
前記補償値補正手段は、前記グリップロス度が所定値以上であるときに、前記ステア状態がオーバーステアであるかアンダーステアであるかに応じて慣性補償値の補正態様を変更するように構成されていることを特徴とする請求項１に記載の電動パワーステアリング装置。
【請求項３】
車両の操舵状態を検出する操舵状態検出手段を有し、前記補償値補正手段は、前記グリップロス度が所定値以上であり且つ前記ステア状態がオーバーステアである場合に、前記操舵状態検出手段で切増し操舵を検出したときに、前記グリップロス度に応じて慣性補償値を減少補正するように構成されていることを特徴とする請求項１に記載の電動パワーステアリング装置。
【請求項４】
車両の操舵状態を検出する操舵状態検出手段を有し、前記補償値補正手段は、前記グリップロス度が所定値以上であり且つ前記ステア状態がオーバーステアである場合に、前記操舵状態検出手段でカウンターステア操舵を検出したときに、前記グリップロス度に応じて慣性補償値を増加補正するように構成されていることを特徴とする請求項１に記載の電動パワーステアリング装置。
【請求項５】
車両の操舵状態を検出する操舵状態検出手段を有し、前記補償値補正手段は、前記グリップロス度が所定値以上であり且つ前記ステア状態がオーバーステアである場合に、前記操舵状態検出手段で切増し操舵を検出したときに、前記グリップロス度に応じて慣性補償値を減少補正し、前記操舵状態検出手段でカウンターステア操舵を検出したときに、前記グリップロス度に応じて慣性補償値を増加補正するように構成されていることを特徴とする請求項１に記載の電動パワーステアリング装置。
【請求項６】
車両の操舵状態を検出する操舵状態検出手段を有し、前記補償値補正手段は、前記グリップロス度が所定値以上であり且つ前記ステア状態がアンダーステアである場合に、前記操舵状態検出手段で切増し操舵を検出したときに、前記グリップロス度に応じて慣性補償値を減少補正するように構成されていることを特徴とする請求項１に記載の電動パワーステアリング装置。
【請求項７】
前記操舵状態検出手段は、車両のヨーレートを検出するヨーレート検出手段と前記電動モータのモータ角速度を検出するモータ角速度検出手段とを有し、前記ヨーレート及び前記モータ角速度の符号に基づいて切増し操舵及び切戻し又はカウンターステア操舵を検出するように構成されていることを特徴とする請求項３乃至６の何れか１項に記載の電動パワーステアリング装置。
【請求項８】
前記操舵状態検出手段は、車両のヨーレートを検出するヨーレート検出手段と、ステアリングホイールの操舵速度を検出する操舵速度検出手段とを有し、前記ヨーレート及び前記操舵速度の符号に基づいて切増し操舵及びカウンターステア操舵を検出するように構成されていることを特徴とする請求項３乃至６の何れか１項に記載の電動パワーステアリング装置。
【発明の詳細な説明】
【技術分野】
【０００１】
本発明は、転舵輪を転舵するステアリング機構に対し、電動モータにより操舵補助力を付与するようにした電動パワーステアリング装置に関し、特に、タイヤのグリップ力が失われた場合であっても、車両挙動を安定させることの可能な電動パワーステアリング装置に関する。
【背景技術】
【０００２】
従来、ステアリング装置として、運転者がステアリングホイールを操舵する際に発生する操舵トルクに応じて電動モータを駆動することにより、ステアリング機構に操舵補助力を与える電動パワーステアリング装置が普及している。
また、このような電動パワーステアリング装置において、操舵性能の向上やコーナリング時の車両の挙動を安定させるために、車両に取り付けられた車輪を中立に戻そうとするトルクであるセルフアライニングトルクを求めて操舵制御に用いたもの、さらにタイヤのグリップ状態を考慮して操舵制御を行うようにしたもの等も提案されている。
【０００３】
このタイヤのグリップ状態を算出する方法としては、例えば規範ヨーレートと実ヨーレートとの偏差をタイヤのグリップ状態相当の値として用いた反力装置の制御方法が提案されている（例えば、特許文献１参照）。また、アンダーステア時にヨーレートの変化率に応じて操舵力を重くさせる車両の操舵反力制御装置も提案されている（例えば、特許文献２参照）。
【特許文献１】特開２００６−２６４３９２号公報
【特許文献２】特許第２８９４００６号公報
【発明の開示】
【発明が解決しようとする課題】
【０００４】
しかしながら、上述のように、規範ヨーレートと実ヨーレートとの偏差をグリップ状態相当の値として用いた場合、これらヨーレートの偏差は、グリップ状態を表すものの、実際のグリップ状態との誤差は比較的大きく、正確なタイヤのグリップ力を検出することはできず、例えば急激な切り増し・切り戻しを行う場合やＵターン等の低速で大旋回する場合に、タイヤのグリップ力が十分であるのにもかかわらず、補正制御がオン状態になってしまい、運転者に違和感を与えてしまうという未解決の課題がある。
【０００５】
また、オーバーステア時に操舵力を重くさせる場合、オーバーステア初期時に操舵の切り過ぎを防止してオーバーステア初期挙動を抑制することに対して効果はあるが、オーバーステア発生後にセルフアライニングトルク及び運転者によってオーバーステア挙動を安定させるために操作される所謂カウンターステア時においても、操舵力を重くして操舵反力を感じさせてしまうこととなり、カウンターステア操作を困難にさせてしまうという未解決の課題がある。
【０００６】
そこで、本発明は上記従来の未解決の課題に着目してなされたものであり、車両のステア状態が、少なくともオーバーステアであるときに、操舵の切増し抑制すると共に、カウンターステア操舵を容易にし、車両挙動の安定性を向上させることができる電動パワーステアリング装置を提供することを目的としている。
【課題を解決するための手段】
【０００７】
上記目的を達成するために、本発明の請求項１に係る電動パワーステアリング装置は、転舵輪を転舵するステアリング機構に入力される操舵トルクを検出する操舵トルク検出手段と、前記ステアリング機構に操舵補助力を付与する電動モータと、前記操舵トルクに基づいて操舵補助電流指令値を演算し、演算した操舵補助電流指令値に基づいて前記電動モータを制御する制御手段とを有する電動パワーステアリング装置であって、車両のステア状態がアンダーステアであるかオーバーステアであるかを検出するステア状態検出手段と、前記転舵輪側から前記ステアリング機構に入力されるセルフアライニングトルクを検出するセルフアライニングトルク検出手段と、車両の横力を検出する横力検出手段と、該横力検出手段で検出した横力に基づいてセルフアライニングトルクを推定するセルフアライニングトルク推定手段と、前記セルフアライニングトルク検出手段で検出したセルフアライニングトルク検出値と、前記セルフアライニングトルク推定手段で推定したセルフアライニングトルク推定値との偏差を、タイヤのグリップ力が失われた度合を表すグリップロス度として検出するグリップロス度検出手段と、前記操舵補助電流指令値に対して慣性補償する慣性補償手段と、少なくとも前記ステア状態検出手段で検出したステア状態と前記グリップロス度検出手段で検出したグリップロス度とに基づいて前記慣性補償手段の慣性補償値を補正する補償値補正手段とを備えたことを特徴としている。
【０００８】
また、請求項２に係る電動パワーステアリング装置は、請求項１に係る発明において、前記補償値補正手段は、前記グリップロス度が所定値以上であるときに、前記ステア状態がオーバーステアであるかアンダーステアであるかに応じて慣性補償値の補正態様を変更するように構成されていることを特徴としている。
【０００９】
さらに、請求項３に係る電動パワーステアリング装置は、請求項１に係る発明において、車両の操舵状態を検出する操舵状態検出手段を有し、前記補償値補正手段は、前記グリップロス度が所定値以上であり且つ前記ステア状態がオーバーステアである場合に、前記操舵状態検出手段で切増し操舵を検出したときに、前記グリップロス度に応じて慣性補償値を減少補正するように構成されていることを特徴としている。
【００１０】
さらにまた、請求項４に係る電動パワーステアリング装置は、請求項１に係る発明において、車両の操舵状態を検出する操舵状態検出手段を有し、前記補償値補正手段は、前記グリップロス度が所定値以上であり且つ前記ステア状態がオーバーステアである場合に、前記操舵状態検出手段でカウンターステア操舵を検出したときに、前記グリップロス度に応じて慣性補償値を増加補正するように構成されていることを特徴としている。
【００１１】
なおさらに、請求項５に係る電動パワーステアリング装置は、請求項１に係る発明において、車両の操舵状態を検出する操舵状態検出手段を有し、前記補償値補正手段は、前記グリップロス度が所定値以上であり且つ前記ステア状態がオーバーステアである場合に、前記操舵状態検出手段で切増し操舵を検出したときに、前記グリップロス度に応じて慣性補償値を減少補正し、前記操舵状態検出手段でカウンターステア操舵を検出したときに、前記グリップロス度に応じて慣性補償値を増加補正するように構成されていることを特徴としている。
【００１２】
また、請求項６に係る電動パワーステアリング装置は、請求項１に係る発明において、車両の操舵状態を検出する操舵状態検出手段を有し、前記補償値補正手段は、前記グリップロス度が所定値以上であり且つ前記ステア状態がアンダーステアである場合に、前記操舵状態検出手段で切増し操舵を検出したときに、前記グリップロス度に応じて慣性補償値を減少補正するように構成されていることを特徴としている。
【００１３】
さらに、請求項７に係る電動パワーステアリング装置は、請求項３乃至６の何れか１つに係る発明において、前記操舵状態検出手段は、車両のヨーレートを検出するヨーレート検出手段と前記電動モータのモータ角速度を検出するモータ角速度検出手段とを有し、前記ヨーレート及び前記モータ角速度の符号に基づいて切増し操舵及びカウンターステア操舵を検出するように構成されていることを特徴としている。
【００１４】
さらにまた、請求項８に係る電動パワーステアリング装置は、請求項３乃至６の何れか１つに係る発明において、前記操舵状態検出手段は、車両のヨーレートを検出するヨーレート検出手段と、ステアリングホイールの操舵速度を検出する操舵速度検出手段とを有し、前記ヨーレート及び前記操舵速度の符号に基づいて切増し操舵及びカウンターステア操舵を検出するように構成されていることを特徴としている。
【発明の効果】
【００１６】
本発明に係る電動パワーステアリング装置によれば、操舵トルクに基づき算出した電動モータの電流指令値に対して電動モータの慣性により発生するトルク相当分を補償する慣性補償手段の慣性補償値を、車両のステア状態及びタイヤのグリップロス度に基づいて補正し、補正して得た操舵補助電流指令値に基づいて電動モータを駆動制御するので、グリップロス度が所定値以上であるときに、車両のステア状態に応じた最適な操舵補助制御を行うことができ、操舵の切り過ぎを抑制すると共に、オーバーステアにおけるカウンターステア操舵を容易に行うことができるという効果が得られる。
【００１７】
ここで、車両がオーバーステアで且つグリップロス度が所定値以上である場合に、運転者が切増し操舵を行うときには慣性補償値を減少させることにより切増し操舵を抑制し、カウンターステア操舵を行うときには慣性補償値を増加させることによりカウンターステア操舵を容易に行うようにする。
また、車両がアンダーステアで且つグリップロス度が所定値以上である場合には、運転者が切増し操舵を行うときに、慣性補償値を減少させることにより切増し操舵を抑制する。
【発明を実施するための最良の形態】
【００１８】
以下、本発明の実施の形態を図面に基づいて説明する。
図１は、本発明の一実施形態を示す全体構成図であって、図中、ＳＭはステアリング機構である。このステアリング機構ＳＭは、ステアリングホイール１に運転者から作用される操舵力が伝達される入力軸２ａとこの入力軸２ａに図示しないトーションバーを介して連結された出力軸２ｂとを有するステアリングシャフト２を備えている。このステアリングシャフト２は、ステアリングコラム３に回転自在に内装され、入力軸２ａの一端がステアリングホイール１に連結され、他端は図示しないトーションバーに連結されている。
【００１９】
そして、出力軸２ｂに伝達された操舵力は、２つのヨーク４ａ，４ｂとこれらを連結する十字連結部４ｃとで構成されるユニバーサルジョイント４を介して中間シャフト５に伝達され、さらに、２つのヨーク６ａ，６ｂとこれらを連結する十字連結部６ｃとで構成されるユニバーサルジョイント６を介してピニオンシャフト７に伝達される。
【００２０】
このピニオンシャフト７に伝達された操舵力はステアリングギヤ機構８を介して左右のタイロッド９に伝達され、これらタイロッド９によって左右の転舵輪ＷＬ，ＷＲを転舵させる。ここで、ステアリングギヤ機構８は、ギヤハウジング８ａ内に、ピニオンシャフト７に連結されたピニオン８ｂとこのピニオン８ｂに噛合するラック軸８ｃとを有するラックアンドピニオン形式に構成され、ピニオン８ｂに伝達された回転運動をラック軸８ｃで車幅方向の直進運動に変換して、タイロッド９に伝達する。
【００２１】
ステアリングシャフト２の出力軸２ｂには、操舵補助力を出力軸２ｂに伝達する操舵補助機構１０が連結されている。この操舵補助機構１０は、出力軸２ｂに連結した減速ギヤ等の減速機１１と、この減速機１１に連結された操舵補助力を発生する例えばブラシレスモータで構成される電動モータ１２とを備えている。
【００２２】
また、減速機１１のステアリングホイール１側に連接されたハウジング１３内に操舵トルクセンサ１４が配設されている。この操舵トルクセンサ１４は、ステアリングホイール１に付与されて入力軸２ａに伝達された操舵トルクを検出するもので、例えば、操舵トルクを入力軸２ａ及び出力軸２ｂ間に介挿した図示しないトーションバーの捩れ角変位に変換し、この捩れ角変位を磁気変化や抵抗変化として検出し、それを電気信号に変換するように構成されている。
【００２３】
そして、操舵トルクセンサ１４から出力される操舵トルク検出値Ｔは、図２に示すように、例えばマイクロコンピュータで構成されるコントローラ１５に入力される。このコントローラ１５には、トルク検出値Ｔの他に車速センサ１６で検出した車速検出値Ｖｘ、電動モータ１２に流れるモータ電流Ｉａ〜Ｉｃ及びレゾルバ、エンコーダ等で構成される回転角センサ１７で検出した電動モータ１２の回転角θｍも入力されている。
【００２４】
このコントローラ１５では、入力されるトルク検出値Ｔ及び車速検出値Ｖｘに応じた操舵補助力を電動モータ１２で発生させる操舵補助電流指令値Ｉｒｅｆを算出し、算出した操舵補助電流指令値Ｉｒｅｆに対して回転角θｍに基づいて算出するモータ角速度ωｍ及びモータ角加速度αｍに基づいて収斂性補償、慣性補償、セルフアライニングトルク補償等の各種補償処理を行ってからｄ−ｑ軸指令値に変換し、これらｄ−ｑ軸指令値を２相／３相変換してモータ電流指令値Ｉａｒｅｆ〜Ｉｃｒｅｆを算出し、算出したモータ電流指令値Ｉａｒｅｆ〜Ｉｃｒｅｆに基づいて電動モータ１２に流れる電流Ｉａ〜Ｉｃをフィードバック制御して、電動モータ１２を駆動制御する。
【００２５】
すなわち、コントローラ１５は、操舵トルクＴ及び車速Ｖｘに基づいて操舵補助電流指令値Ｉｒｅｆを演算する操舵補助電流指令値演算部２１と、この操舵補助電流指令値演算部２１で算出した操舵補助電流指令値Ｉｒｅｆを補償する指令値補償部２２と、タイヤのグリップが失われた度合を表すグリップロス度を検出するグリップロス度検出手段としてのグリップロス度検出部２３と、車両のステア状態を検出するステア状態検出部２４と、グリップロス度検出部２３で検出したグリップロス度及びステア状態検出部２４で検出したステア状態に基づいて指令値補償部２２における慣性補償部３４の慣性補償値Ｉｉを補正する補償値補正手段としての補償値補正部２５と、指令値補償部２２で補償した補償後操舵補助電流指令値Ｉｒｅｆ′に基づいてｄ−ｑ軸電流指令値を算出するｄ−ｑ軸電流指令値演算部２６と、このｄ−ｑ軸電流指令値演算部２６から出力されるｄ−ｑ軸指令値を２相／３相変換してモータ電流指令値Ｉａｒｅｆ〜Ｉｃｒｅｆを算出する２相／３相変換部２７と、この２相／３相変換部２７から出力されるモータ電流指令値Ｉａｒｅｆ〜Ｉｃｒｅｆに基づいてモータ電流Ｉａ〜Ｉｃを生成するモータ電流制御部２８とで構成されている。
操舵補助電流指令値演算部２１は、操舵トルクＴ及び車速Ｖｘをもとに図３に示す操舵補助電流指令値算出マップを参照して電流指令値でなる操舵補助電流指令値Ｉｒｅｆを算出する。
【００２６】
この操舵補助電流指令値算出マップは、図３に示すように、横軸に操舵トルクＴをとり、縦軸に操舵補助電流指令値Ｉｒｅｆをとると共に、車速Ｖｘをパラメータとした放物線状の曲線で表される特性線図で構成され、操舵トルクＴが"０"からその近傍の設定値Ｔｓ１までの間は操舵補助電流指令値Ｉｒｅｆが"０"を維持し、操舵トルクＴが設定値Ｔｓ１を超えると最初は操舵補助電流指令値Ｉｒｅｆが操舵トルクＴの増加に対して比較的緩やかに増加するが、さらに操舵トルクＴが増加すると、その増加に対して操舵補助電流指令値Ｉｒｅｆが急峻に増加するように設定され、この特性曲線が車速の増加に従って傾きが小さくなるように設定されている。
【００２７】
指令値補償部２２は、回転角センサ１７で検出されるモータ回転角θｍを微分してモータ角速度ωｍを算出する角速度演算部３１と、この角速度演算部３１で算出されたモータ角速度ωｍを微分してモータ角加速度αｍを算出する角加速度演算部３２と、角速度演算部３１で算出されたモータ角速度ωｍに基づいてヨーレートの収斂性を補償してステアリングホイール１が振れ回る動作に対してブレーキをかける収斂性補償部３３と、角加速度演算部３２で算出されたモータ角加速度αｍに基づいて電動モータ１２の慣性により発生するトルク相当分を補償する慣性補償値Ｉｉを算出し慣性感又は制御応答性の悪化を防止する慣性補償部３４と、転舵輪に発生するセルフアライニングトルク（ＳＡＴ）を検出するＳＡＴ検出部３５と、このＳＡＴ検出部３５で検出したセルフアライニングトルクに基づいてセルフアライニングトルク補償を行うセルフアライニングトルク補償値ＳＡＴｃを算出するＳＡＴ補償部３６とを備えている。
【００２８】
ここで、収斂性補償部３３は、車速センサ１６で検出した車速Ｖｘ及び角速度演算部３１で算出されたモータ角速度ωｍが入力され、車両のヨーの収斂性を改善するためにステアリングホイール１が振れ回る動作に対して、ブレーキをかけるように、モータ角速度ωｍに車速Ｖｘに応じて変更される収斂性制御ゲインＫｖを乗じて収斂性補償値Ｉｄを算出する。
また、ＳＡＴ検出部３５は、操舵トルクＴ、角速度ωｍ、角加速度αｍ及び操舵補助電流指令値演算部２１で算出した操舵補助電流指令値Ｉｒｅｆが入力され、これらに基づいてセルフアライニングトルクＳＡＴを演算する。
【００２９】
このセルフアライニングトルクＳＡＴを算出する原理は、路面からステアリングまでの間に発生するトルクの様子を図４に示して説明する。すなわち、ドライバがステアリングホイール１を操舵することによって操舵トルクＴが発生し、その操舵トルクＴに従って電動モータ１２がアシストトルクＴｍを発生する。その結果、車輪Ｗが転舵され、反力としてセルフアライニングトルクＳＡＴが発生する。また、その際、電動モータ１２の慣性Ｊ及び摩擦（静摩擦）Ｆｒによってステアリングホイール１の操舵の抵抗となるトルクが生じる。これらの力の釣り合いを考えると、下記（１）式のような運動方程式が得られる。
J・αｍ+ Fr・sign(ωｍ) + SAT = Tm + T  …（１）
ここで、上記（１）式を初期値ゼロとしてラプラス変換し、セルフアライニングトルクＳＡＴについて解くと下記（２）式が得られる。
SAT(s) = Tm(s) + T(s) − J・αｍ(s) − Fr・sign(ωｍ(s)) …（２）
【００３０】
上記（２）式から分かるように、電動モータ１２の慣性Ｊ及び静摩擦Ｆｒを定数として予め求めておくことで、モータ角速度ωｍ、モータ角加速度αｍ、アシストトルクＴｍ及び操舵トルクＴよりセルフアライニングトルクＳＡＴを検出することができ、このセルフアライニングトルク検出値をＳＡＴｄとする。ここで、アシストトルクＴｍは操舵補助電流指令値Ｉｒｅｆに比例するので、アシストトルクＴｍに代えて操舵補助電流指令値Ｉｒｅｆを適用する。
【００３１】
そして、慣性補償部３４で算出された慣性補償値Ｉｉを後述する補償値補正部２５で補正した補正慣性補償値Ｉｉ′からＳＡＴ補償部３６で算出されたセルフアライニングトルク補償値ＳＡＴｃが減算器３７で減算され、この減算器３７の減算出力と収斂性補償部３３で算出された収斂性補償値Ｉｄとが加算器３８で加算されて指令補償値Ｉｃｏｍが算出され、この指令補償値Ｉｃｏｍが操舵補助電流指令値演算部２１から出力される操舵補助電流指令値Ｉｒｅｆに加算器３９で加算されて補償後操舵補助電流指令値Ｉｒｅｆ′が算出され、この補償後操舵補助電流指令値Ｉｒｅｆ′がｄ−ｑ軸電流指令値演算部２６に出力される。
【００３２】
また、グリップロス度検出部２３は、前述した指令値補償部２２のＳＡＴ検出部３５から入力されるセルフアライニングトルク検出値ＳＡＴｄとセルフアライニングトルクを推定するＳＡＴ推定部４１から入力されるセルフアライニングトルク推定値ＳＡＴｐとに基づいてタイヤのグリップが失われた度合を表すグリップロス度を算出する。
【００３３】
ここで、ＳＡＴ推定部４１でセルフアライニングトルク推定値ＳＡＴｐを推定する原理は、以下の通りである。
タイヤが横滑りしながら転動する車両運動の様子をモデル化したものを、図５及び図６に示す。
【００３４】
この図５では、タイヤが接地面全体において発生する横力はトレッド部の横方向への変形面積（斜線部）となり、セルフアライニングトルクＳＡＴがスリップ角を減少させる方向に働く様子を示している。また、図６は、横力の着力点（接地面の中心点）がタイヤの中心線より後方にあることを示している。そして、ニューマチックトレールとキャスタトレールとの加算値がトレールとなる。
【００３５】
図５及び図６より、セルフアライニングトルクＳＡＴは横力Ｆｙとトレールとの積（横力Ｆｙ×トレール）であることがわかる。すなわち、トレールをεｎとすると、セルフアライニングトルクＳＡＴは次式（３）で算出することができる。なお、この（３）式で算出されるセルフアライニングトルクを、セルフアライニングトルクの推定値ＳＡＴｐとする。
ＳＡＴｐ＝εｎ・Ｆｙ    ……（３）
なお、重心から後輪までの距離をＬ２（固定値）、車両重量をｍ、横加速度をＧｙ、車両慣性モーメントをＭｏ、ヨーレートγの微分値をｄγ／ｄｔ、ホイールベースをＬとしたとき、横力Ｆｙは次式（４）により算出することができる。
Ｆｙ＝（Ｌ２・ｍ・Ｇｙ＋Ｍｏ・ｄγ／ｄｔ）／Ｌ    ……（４）
【００３６】
一方、図７は横力ＦｙとセルフアライニングトルクＳＡＴの特性をスリップ角に対して示す特性図であり、横力ＦｙとＳＡＴとはスリップ角に対して非線形な特性となっている。そして、ＳＡＴは横力Ｆｙ×トレールεｎであり、キャスタトレールは固定値であることから、セルフアライニングトルクＳＡＴの横力Ｆｙに対する非線形特性はニューマチックトレールの変化を直接表すことになる。また、セルフアライニングトルクＳＡＴの横力に対する特性は、図６における滑り域が増大し、ニューマチックトレールが減少することによって生じる。
【００３７】
さらに、セルフアライニングトルクＳＡＴは横力Ｆｙとトレールεｎとの積であり、線形領域では滑り域は増加せず、ニューマチックトレールは一定値であることから、線形領域でのニューマチックトレールとキャスタトレールとの和、つまりトレールεｎで横力ＦｙをセルフアライニングトルクＳＡＴの次元に合わせてセルフアライニングトルク推定値ＳＡＴｐとして図示すると図８のようになる。
【００３８】
ここで、ニューマチックトレールが一定であれば、セルフアライニングトルク検出値ＳＡＴｄとセルフアライニングトルク推定値ＳＡＴｐとは同じ軌跡を辿るが、滑り域が増大してニューマチックトレールが減少するとセルフアライニングトルク検出値ＳＡＴｄとセルフアライニングトルク推定値ＳＡＴｐとに差が生じる。この差はグリップが失われた度合を表し、これを本発明では「グリップロス度」とする。上記（２）式で算出されたセルフアライニングトルク検出値ＳＡＴｄと、上記（３）式で算出されたセルフアライニングトルク推定値ＳＡＴｐとを次式（５）により比較する。
ｇ＝ＳＡＴｐ−ＳＡＴｄ    ……（５）
この（５）式で算出されるｇがグリップロス度であり、このグリップロス度ｇにより車両におけるタイヤのグリップ力が失われた度合を推定することができる。
【００３９】
図８は、セルフアライニングトルク検出値ＳＡＴｄとセルフアライニングトルク推定値ＳＡＴｐ（トレールεｎ×横力Ｆｙ）とを比較して示す特性図であり、スリップ角が大きくなるにしたがって、セルフアライニングトルクＳＡＴが失われる様子を示しており、上記（５）式から算出されるセルフアライニングトルク検出値ＳＡＴｄとセルフアライニングトルク推定値ＳＡＴｐとの差をグリップロス度ｇ（図中網かけ部）として示している。
【００４０】
このため、車両のヨーレートを検出するヨーレートセンサ４２と車両の横加速度を検出する横加速度センサ４３とを設け、これらヨーレートセンサ４２で検出したヨーレートγと横加速度センサ４３で検出した横加速度Ｇｙとを横力検出部４４へ入力し、この横力検出部４４で前記（４）式の演算を行って横力Ｆｙを算出し、算出した横力ＦｙをＳＡＴ推定部４１に入力して、このＳＡＴ推定部４１で前記（３）式の演算を行うことにより、セルフアライニングトルク推定値ＳＡＴｐを算出する。
【００４１】
そして、ＳＡＴ検出部３５で検出したセルフアライニングトルク検出値ＳＡＴｄとＳＡＴ推定部４１で推定したセルフアライニングトルク推定値ＳＡＴｐとをグリップロス度検出部２３に入力し、このグリップロス度検出部２３で前記（５）式の演算を行うことにより、タイヤのグリップが失われた度合を表すグリップロス度ｇを算出し、算出したグリップロス度ｇを補償値補正手段としての補償値補正部２５に入力する。
【００４２】
また、ステア状態検出部２４は、ステアリング機構ＳＭの操舵角δを検出する操舵角センサ４５から出力される操舵角δ、前述したヨーレートセンサ４２で検出したヨーレートγ及び車速センサ１６で検出した車速Ｖｘが入力され、これらに基づいて車両のステア状態がアンダーステアであるかオーバーステアであるかを判定する。
このステア状態の判定は、以下のようにして行う。先ず、車両の規範ヨーレートγ0は下記（６）式で表すことができる。
【００４３】
γ0＝｛１／(１＋Ｔｓ)｝｛１／（１＋Ａ・Ｖｘ2）｝（Ｖｘδ／Ｌα）  ……（６）
ここで、δは操舵角、Ｖｘは車速、Ｌはホイールベース、Ｔは時定数、ｓはラプラス演算子、Ａはスタビリティファクタ、αはステアリングレシオである。
また、スタビリティファクタＡは、下記（７）式で表される。
Ａ＝（ｍ／２Ｌ2）｛（Ｌｆ・Ｋｆ−Ｌｒ・Ｋｒ）／Ｋｆ・Ｋｒ｝  …………（７）
ここで、ｍは車両重量、Ｌｆは車両重心点と前輪車軸との間の距離、Ｌｒは車両重心点と後輪車軸との間の距離、Ｋｆは前輪タイヤのコーナリングパワー、Ｋｒは後輪タイヤのコーナリングパワーである。
【００４４】
そして、規範ヨーレートγ0とヨーレートセンサ４２で検出した実ヨーレートγとを比較することにより、下記のように車両のステア状態を判定することができる。
｜γ｜−｜γ0｜＞０      ：オーバーステア
｜γ｜−｜γ0｜＜０      ：アンダーステア
この車両のステア状態がオーバーステアであるときには論理値“１”、アンダーステアであるときには論理値“０”のステア状態信号ＳＳを補償値補正部２５に出力する。
【００４５】
補償値補正部２５は、グリップロス度検出部２３で検出したグリップロス度ｇとステア状態検出部２４で検出したステア状態に応じたステア状態信号ＳＳとヨーレートセンサ４２で検出したヨーレートγと指令値補償部２２の角速度演算部３１で演算されたモータ角速度ωｍとが入力されて、これらに基づいて指令値補償部２２の慣性補償部３４から出力される慣性補償値Ｉｉを補正する慣性補償ゲインＫｉを演算する補償ゲイン演算部５１と、この補償ゲイン演算部５１で演算された慣性補償ゲインＫｉを慣性補償部３４で算出された慣性補償値Ｉｉに乗算する乗算器５２とを備えている。
【００４６】
ここで、補償ゲイン演算部５１は、図９に示す補償ゲイン演算処理を実行する。この補償ゲイン演算処理は、先ず、ステップＳ１で、ヨーレートγ、ステア状態信号ＳＳ、グリップロス度ｇ及びモータ角速度ωｍの各種入力値を読込み、次いでステップＳ２に移行して、読込んだグリップロス度ｇが予め設定したグリップ限界を表す所定値ｇ１以上であるか否かを判定し、ｇ＜ｇ１であるときにはタイヤのグリップ力がグリップ限界に達していない通常操舵状態であるものと判断してステップＳ３に移行して慣性補償ゲインＫｉを“１”に設定し、設定した慣性補償ゲインＫｉを乗算器５２に出力してから前記ステップＳ１に戻る。
【００４７】
また、ステップＳ２の判定結果が、ｇ≧ｇ１であるときには、ステップＳ５に移行して、ステップＳ１で読込んだステア状態信号ＳＳが論理値“１”でオーバーステアを表しているか論理値“０”でアンダーステアを表しているかを判定し、ステア状態信号ＳＳが論理値“０”でアンダーステアを表しているときにはステップＳ５に移行する。
このステップＳ５では、ヨーレートγ及びモータ角速度ωｍの符号が同符号であるか否かを判定し、ヨーレートγ及びモータ角速度ωｍの符号が異符号であるときには、ステアリングホイール１を切り戻し方向に操舵されているものと判断して前記ステップＳ３に移行する。
【００４８】
また、ヨーレートγ及びモータ角速度ωｍの符号が同符号であるときには、ステアリングホイール１を切増し方向に操舵しているものと判断してステップＳ６に移行して、図１０に示す慣性補償ゲイン算出マップで特性線Ｌ２を選択して、この特性線Ｌ２に従ってグリップロス度ｇが所定値ｇ１より増加するに応じて“１”より減少する慣性補償ゲインＫ２を算出し、算出した慣性補償ゲインＫ２を慣性補償ゲインＫｉとして乗算器５２に出力してから前記ステップＳ１に戻る。
【００４９】
また、前記ステップＳ４の判定結果が、ステア状態信号ＳＳが論理値“１”でオーバーステアを表しているときには、ステップＳ７に移行して、前記ステップＳ５と同様に、ヨーレートγ及びモータ角速度ωｍの符号が同符号であるか否かを判定し、ヨーレートγ及びモータ角速度ωｍの符号が異符号であるときには、ステアリングホイール１を切り戻し方向に操舵されているものと判断してステップＳ８に移行して、図１０に示す慣性補償ゲイン算出マップで特性線Ｌ１を選択して、この特性線Ｌ１に従ってグリップロス度ｇが所定値ｇ１より増加する慣性補償ゲインＫ１を算出し、算出した慣性補償ゲインＫ１を慣性補償ゲインＫｉとして乗算器５２に出力してから前記ステップＳ１に戻る。
【００５０】
また、ステップＳ７の判定結果が、ヨーレートγ及びモータ角速度ωｍの符号が同符号であるときには、ステアリングホイール１を切増し方向に操舵しているものと判断してステップＳ９に移行して、図１０に示す慣性補償ゲイン算出マップで特性線Ｌ２を選択して、この特性線Ｌ２に従ってグリップロス度ｇが所定値ｇ１より増加するに応じて“１”より減少する慣性補償ゲインＫ２を算出し、算出した慣性補償ゲインＫ２を慣性補償ゲインＫｉとして乗算器５２に出力してから前記ステップＳ１に戻る。
【００５１】
ここで、図１０の慣性補償ゲイン算出マップは、横軸にグリップロス度ｇをとり、縦軸に慣性補償ゲインＫｉをとって、グリップロス度ｇが所定値ｇ１未満であるときには慣性補償ゲインＫ１及びＫ２が“１”に維持され、グリップロス度ｇが所定値ｇ１以上となると、特性線Ｌ１では、グリップロス度ｇの増加に伴って慣性補償ゲインＫ１が“１”より増加し、特性線Ｌ２ではグリップロス度ｇの増加に伴って慣性補償ゲインＫ２が“１”より減少するように設定されている。
【００５２】
ここで、慣性補償ゲイン算出マップにおける特性線Ｌ１及びＬ２の傾きは車両の諸元に応じて設定し、両特性線Ｌ１及びＬ２は図１０に示す線形に限らず非線形に設定することもできる。
さらに、ｄ−ｑ軸電流指令値演算部２６は、補償後操舵補助電流指令値Ｉｒｅｆ′とモータ角速度ωｍとに基づいてｄ軸電流指令値Ｉｄｒｅｆを算出するｄ軸電流指令値算出部６１と、電気角変換部３０から入力される電気角θｅ及びモータ角速度ωｍに基づいてｄ−ｑ軸誘起電圧モデルＥＭＦ（Ｅｌｅｃｔｒｏｍｏｔｉｖｅ  Ｆｏｒｃｅ）のｄ軸ＥＭＦ成分ｅｄ(θ)及びｑ軸ＥＭＦ成分ｅｑ(θ)を算出する誘起電圧モデル算出部６２と、この誘起電圧モデル算出部６２から出力されるｄ軸ＥＭＦ成分ｅｄ(θ)及びｑ軸ＥＭＦ成分ｅｑ(θ)とｄ軸電流指令値算出部６１から出力されるｄ軸電流指令値Ｉｄｒｅｆと補償後操舵補助電流指令値Ｉｒｅｆ′とモータ角速度ωｍとに基づいてｑ軸電流指令値Ｉｑｒｅｆを算出するｑ軸電流指令値算出部６３とを備えている。
【００５３】
そして、ｄ軸電流指令値算出部６１で算出されたｄ軸電流指令値Ｉｄｒｅｆ及びｑ軸電流指令値算出部６３で算出されたｑ軸電流指令値Ｉｑｒｅｆが２相／３相変換部２７に供給される。
この２相／３相変換部２７では、入力されるｄ軸電流指令値Ｉｄｒｅｆ及びｑ軸電流指令値Ｉｑｒｅｆを電気角変換部３０から入力される電気角θｅに基づいて２相／３相変換して３相モータ電流指令値Ｉａｒｅｆ、Ｉｂｒｅｆ及びＩｃｒｅｆを算出し、算出したモータ電流指令値Ｉａｒｅｆ、Ｉｂｒｅｆ及びＩｃｒｅｆをモータ電流制御部２８に出力する。
【００５４】
モータ電流制御部２８は、電動モータ１２の３相コイルに供給されるモータ電流Ｉａ、Ｉｂ及びＩｃを検出するモータ電流検出部７０と、２相／３相変換部２７から入力されるモータ電流指令値Ｉａｒｅｆ，Ｉｂｒｅｆ及びＩｃｒｅｆからモータ電流検出部７０で検出したモータ電流Ｉａ、Ｉｂ及びＩｃを個別に減算して各相電流偏差ΔＩａ、ΔＩｂ及びΔＩｃを求める減算器７１ａ、７１ｂ及び７１ｃと、求めた各相電流偏差ΔＩａ、ΔＩｂ及びΔＩｃに対して比例積分制御を行って電圧指令値Ｖａ、Ｖｂ及びＶｃを算出する電流制御部７２と、この電流制御部７２から出力される電圧指令値Ｖａ、Ｖｂ及びＶｃに基づいてデューティ演算を行って電動モータ１２の各相のデューティ比を算出してパルス幅変調（ＰＷＭ）信号でなるインバータ制御信号を形成するパルス幅変調部７３と、このパルス幅変調部７３から出力されるインバータ制御信号に基づいて３相モータ電流Ｉａ、Ｉｂ及びＩｃを形成して電動モータ１２に出力するインバータ７４とを備えている。
【００５５】
次に、コントローラ１５での動作をコントローラ１５で実行する図１１のフローチャートを参照して説明する。
まず、操舵トルクセンサ１４からの操舵トルクＴ、車速センサ１６からの車速Ｖｘ、回転角センサ１７からのモータ回転角θｍ、ヨーレートセンサ４２からのヨーレートγ、横加速度センサ４３からの横加速度Ｇｙ、操舵角センサ４５からの操舵角δを読込む（ステップＳ２１）。次いで、読込んだ操舵トルクＴ及び車速Ｖｘに基づき図３に示す操舵補助電流指令値算出マップを参照して操舵トルクＴ及び車速Ｖｘに応じた操舵補助電流指令値Ｉｒｅｆを算出し（ステップＳ２２）、回転角センサ１７からのモータ回転角θｍを微分して電動モータ１２の角速度ωｍを算出し、算出した角速度ωｍを微分して角加速度αｍを算出する（ステップＳ２３）。
【００５６】
次いで、操舵トルクＴ、操舵補助電流指令値Ｉｒｅｆ、モータ角速度ωｍ及びモータ角加速度αｍをもとに前記（２）式の演算を行ってセルフアライニングトルク検出値ＳＡＴｄを検出し（ステップＳ２４）、算出したセルフアライニングトルク検出値ＳＡＴｄに基づいてセルフアライニングトルク補償値ＳＡＴｃを算出する（ステップＳ２５）。さらに、ヨーレートγ、横加速度Ｇｙをもとに前記（４）式の演算を行って横力Ｆｙを算出し、算出した横力Ｆｙとトレールεｎとに基づいて前記（３）式の演算を行うことにより、セルフアライニングトルク推定値ＳＡＴｐを算出する（ステップＳ２６）。
【００５７】
続いて、セルフアライニングトルク検出値ＳＡＴｄ及びセルフアライニングトルク推定値ＳＡＴｐの偏差からグリップロス度ｇを検出し（ステップＳ２７）、次いで、車速Ｖｘ及び操舵角δに基づいて前記（６）式及び（７）式の演算を行って規範ヨーレートγ0を算出すると共に、算出した規範ヨーレートγ0と実ヨーレートγとを比較して車両のステア状態がオーバーステアであるかアンダーステアであるかを検出する（ステップＳ２８）。
【００５８】
次いで、ステップＳ２７で算出したグリップロス度ｇ、ステップＳ２８で検出したステア状態、ステップＳ２１で読込んだヨーレートγ及びステップＳ２３で算出したモータ角速度ωｍに基づき図９に示す補償ゲイン演算処理を実行して慣性補償値Ｉｉを補正するための慣性補償ゲインＫｉを算出する（ステップＳ２９）。
次いで、モータ角速度ωｍに基づいてヨーレートの収斂性を補償する収斂性補償値Ｉｄを算出すると共に、モータ角加速度αｍに基づいて電動モータ１２の慣性により発生するトルク相当分を補償して慣性感又は制御応答性の悪化を防止する慣性補償値Ｉｉを算出し（ステップＳ３０）、次いで、算出した慣性補償値Ｉｉに前記ステップＳ２９で算出した慣性補償ゲインＫｉを乗算して補正慣性補償ゲインＫｉ′を算出する（ステップＳ３１）。
【００５９】
そして、収斂性補償値Ｉｄ及び補正慣性補償値Ｉｉ′を加算すると共に、セルフアライニングトルク補償値ＳＡＴｃを減算して指令補償値Ｉｃｏｍを算出し（ステップＳ３２）、算出した指令補償値Ｉｃｏｍを操舵補助電流指令値Ｉｒｅｆに加算して補償後操舵補助電流指令値Ｉｒｅｆ′を算出する（ステップＳ３３）。
次いで、算出した補償後操舵補助電流指令値Ｉｒｅｆ′に基づいてｄ軸電流指令値Ｉｄｒｅｆを算出すると共に、ｑ軸電流指令値Ｉｑｒｅｆを算出し（ステップＳ３４）、次いでｄ軸電流指令値Ｉｄｒｅｆ及びｑ軸電流指令値Ｉｑｒｅｆを電気角θｅに基づいて２相／３相変換して３相モータ電流指令値Ｉａｒｅｆ、Ｉｂｒｅｆ及びＩｃｒｅｆを算出する（ステップＳ３５）。
【００６０】
次いで、３相モータ電流指令値Ｉａｒｅｆ、Ｉｂｒｅｆ及びＩｃｒｅｆからモータ電流検出部７０で検出したモータ電流Ｉａ、Ｉｂ及びＩｃを減算して電流偏差ΔＩａ、ΔＩｂ及びΔＩｃを算出し（ステップＳ３６）、算出した電流偏差ΔＩａ、ΔＩｂ及びΔＩｃに対してＰＩ制御処理を行って電圧指令値Ｖａ、Ｖｂ及びＶｃを算出し（ステップＳ３７）、算出した電圧指令値Ｖａ、Ｖｂ及びＶｃをパルス幅変調してパルス幅変調信号を形成し、形成したパルス幅変調信号をインバータ７４に出力する（ステップＳ３８）。
【００６１】
これにより、インバータ７４から３相のモータ駆動電流Ｉａ、Ｉｂ及びＩｃが電動モータ１２に出力され、電動モータ１２が駆動制御されることにより、操舵トルクＴ及び車速Ｖｘに応じた最適な操舵補助力を発生し、この操舵補助力が減速機１１を介してステアリングシャフト２に伝達される。
したがって、グリップロス度ｇが所定値ｇ１未満であるときには、通常操舵状態であると判断して、図９の補償ゲイン演算処理で、ステップＳ２からステップＳ３に移行し、慣性補償ゲインＫｉが“１”に設定される。このため、慣性補償ゲインＫｉが乗算器５２で慣性補償部３４から出力される慣性補償値Ｉｉに乗算されるので、慣性補償値Ｉｉがそのまま補正慣性補償値Ｉｉ′として減算器３７に入力される。
【００６２】
このため、指令値補償部２２で、通常の収斂性補償値Ｉｄ、補正慣性補償値Ｉｉ′及びセルフアライニングトルク補償値ＳＡＴｃが算出され、収斂性補償値Ｉｄ及び補正慣性補償値Ｉｉ′が加算されると共に、セルフアライニングトルク補償値ＳＡＴｃが減算されて指令補償値Ｉｃｏｍが算出され、この指令補償値Ｉｃｏｍが操舵補助電流指令値演算部２１で算出された操舵補助電流指令値Ｉｒｅｆに加算されて操舵状態に最適な指令値補償が行われ、運転者のステアリングホイール１の操舵操作を的確に補助することができる。
【００６３】
この通常操舵状態から、前輪のグリップ力がグリップ限界を超えてアンダーステアとなり、グリップロス度検出部２３で検出されるグリップロス度ｇが所定値ｇ１以上となると、図９の補償ゲイン演算処理で、ステップＳ２からステップＳ４に移行し、車両のステア状態がアンダーステアであるので、ステア状態検出部２４で｜γ｜−｜γ0｜＜０となってアンダーステアと判定され、これに応じて論理値“０”のステア状態信号ＳＳが補償ゲイン演算部５１に出力される。
【００６４】
このため、図９の補償ゲイン演算処理でステップＳ４からステップＳ５に移行して、ヨーレートγ及びモータ角速度ωｍの符号が同符号であるか否かを判定し、両者の符号が異符号であるときには、ステアリングホイール１がアンダーステアを解消する切戻し操舵されているものと判断して、ステップＳ３に移行して、通常状態と同様に慣性補償ゲインＫｉが“１”に設定されて、通常状態と同様の操舵補助制御が行われる。
【００６５】
ところが、車両のステア状態がアンダーステアである状態で、ステアリングホイール１を切増し操舵してヨーレートγとモータ角速度ωｍとの符号が同符号となるときには、ステップＳ５からステップＳ６に移行して、図１０の慣性補償ゲイン算出マップで、特性線Ｌ２が選択され、この特性線Ｌ２に従ってグリップロス度ｇが所定値ｇ１から増加するに応じて“１”から減少する慣性補償ゲインＫｉが算出され、この慣性補償ゲインＫｉが慣性補償部３４から出力される慣性補償値Ｉｉに乗算されるので、慣性補償値Ｉｉを減少補正した補正慣性補償値Ｉｉ′が算出される。
【００６６】
そして、補正慣性補償値Ｉｉ′及び収斂性補償値Ｉｄが加算されると共に、セルフアライニングトルク補償値ＳＡＴｃが減算されて指令補償値Ｉｃｏｍが算出され、算出された指令補償値Ｉｃｏｍが操舵補助電流指令値演算部２１で算出された操舵補助電流指令値Ｉｒｅｆに加算されるので、アンダーステアでの切増し状態で、運転者に電動モータ１２の慣性感を強く認識させるか又は制御応答性を遅らせる慣性補償が行われてステアリングホイール１を切増し操舵し辛い状態として切増し操舵を抑制することができ、グリップ力が失われることにより車両挙動が不安定となることを抑制することができる。
【００６７】
一方、車両が後輪のグリップ力がグリップ限界を超えてオーバーステアとなると、ステア状態検出部２４で｜γ｜−｜γ0｜≧０となってオーバーステアと判定され、これに応じて論理値“１”のステア状態信号ＳＳが補償ゲイン演算部５１に入力される。
【００６８】
このため、図９の補償ゲイン演算処理において、ステップＳ４からステップＳ７に移行する。このとき、運転者がオーバーステアを解消するためにステアリングホイール１を逆切りしてカウンターステア操舵した場合には、ヨーレートγの符号とモータ角速度ωｍの符号とが異符号となるので、ステップＳ７からステップＳ８に移行して、図１０の慣性補償ゲイン算出マップにおいて特性線Ｌ１が選択されて、グリップロス度ｇが所定値ｇ１より増加するに応じて“１”より増加する慣性補償ゲインＫ１が算出される。そして、この慣性補償ゲインＫ１が慣性補償ゲインＫｉとして慣性補償部３４から出力される慣性補償値Ｉｉに乗算されるので、慣性補償値Ｉｉより増加補正された補正慣性補償値Ｉｉ′が算出される。
【００６９】
このため、電動モータ１２の慣性感又は制御応答性をより向上させる慣性補償が行われて、カウンターステア操舵を行い易くし、オーバーステアの解消を容易に行うことができる。
また、車両がオーバーステアである状態で、運転者がステアリングホイール１を切増し操舵した場合には、ヨーレートγとモータ角速度ωｍとの符号が同符号となることから、図９の補償ゲイン演算処理で、ステップＳ７からステップＳ９に移行して、前述したアンダーステアでの切増し操舵と同様に、図１０の慣性補償ゲイン算出マップで特性線Ｌ２が選択されることにより、グリップロス度ｇが所定値ｇ１より増加するに応じて“１”より減少する慣性補償ゲインＫ１が算出される。そして、この慣性補償ゲインＫ１が慣性補償ゲインＫｉとして慣性補償部３４から出力される慣性補償値Ｉｉに乗算されることにより、慣性補償値Ｉｉを減少補正した補正慣性補償値Ｉｉ′が算出され、運転者に電動モータ１２の慣性感を強く認識させるか又は制御応答性を遅らせる慣性補償が行われてステアリングホイール１を切増し操舵し辛い状態として切増し操舵を抑制することができ、グリップ力が失われることにより車両挙動が不安定となることを抑制することができる。
【００７０】
このように、上記実施形態によると、ステア状態検出部２４で検出した車両のステア状態がアンダーステアであるかオーバーステアであるかに応じて慣性補償値を補正する補正態様即ち慣性補償ゲインＫｉの算出方法を異ならせるので、車両のステア状態に応じた最適な慣性補償値の補正処理を行うことができる。
【００７１】
また、上記実施形態では、操舵トルクＴ、アシストトルクＴｍ、電動モータ１２の角速度ωｍ及び角加速度αｍに基づいて検出したセルフアライニングトルク検出値ＳＡＴｄと、車両に発生する横力Ｆｙに基づくセルフアライニングトルク推定値ＳＡＴｐとの偏差からグリップロス度ｇを算出している。ここで、タイヤのグリップ力が失われた場合、これに対するセルフアライニングトルクの応答性は、グリップ力が失われたことに対するヨーレートの応答性に比較して速い。
【００７２】
したがって、セルフアライニングトルクを用いてグリップロス度を算出することによって、ヨーレートを用いてグリップロス度を算出する場合に比較してより早い段階で、グリップロス度の変化を検出することができる。よって、セルフアライニングトルクを用いてグリップロス度を算出することにより、グリップ状況をより高精度に検出することができ、このようにして検出したグリップ状況にしたがって操舵補助電流指令値Ｉｒｅｆを補正し、操舵補助力を低減することによって、より的確に操舵補助力を発生させることができ、グリップロス度に応じて切り増しし過ぎることを回避し、グリップ力が失われることにより車両挙動が不安定となることを抑制することができ、車両走行安定性を向上させることができる。
【００７３】
また、上述のようにグリップロス度ｇが所定値ｇ１未満である場合には、慣性補償ゲインＫｉが“１”に設定されて慣性補償値Ｉｉの補正は行わないので、グリップロスが発生していないか比較的グリップロスが小さく悪影響を及ぼすことのない状況であるにも関わらず操舵補助力が抑制され、十分な操舵補助力を発生されないことに起因して運転者に違和感を与えることを抑制することができる。
【００７４】
ここで、操舵トルクセンサ１４が操舵トルク検出手段に対応し、図１１の処理が制御手段に対応し、このうちステップＳ２２の処理が電流指令値演算部に対応し、ステップＳ２４の処理がＳＡＴ検出部３５（セルフアライニングトルク検出手段）に対応し、ステップＳ２６の処理がＳＡＴ推定部４１（セルフアライニングトルク推定手段）に対応し、ステップＳ２７の処理がグリップロス度検出部（グリップロス度検出手段）に対応し、ステップＳ２８の処理がステア状態検出部２４（ステア状態検出手段）に対応し、ステップＳ２９及びＳ３１の処理が補償値補正部（補償値補正手段）に対応し、ステップＳ３０の処理が慣性補償部３４（慣性補償手段）に対応し、ステップＳ３４の処理がｄ−ｑ軸電流指令値演算部２６に対応し、ステップＳ３５の処理が２相／３相変換部２７に対応し、ステップＳ３６の処理が減算器７１ａ〜７１ｃに対応し、ステップＳ３７の処理がＰＩ電流制御部７２に対応し、ステップＳ３８の処理がパルス幅変調部７３に対応している。
【００７５】
なお、上記実施形態においては、補償ゲイン演算部５１で算出した補償ゲインＫｉで慣性補償値Ｉｉを補正する場合について説明したが、これに限定されるものではなく、補償ゲイン演算部５１で算出した慣性補償ゲインＫｉで操舵補助電流指令値Ｉｒｅｆを直接補償するようにしてもよい。
また、上記実施形態においては、補償ゲイン演算部５１でステア状態を判定してアンダーステア及びオーバーステアの夫々において、操舵状態に応じて補正態様を異ならせる場合について説明したが、アンダーステアについては、切増し操舵であるか切戻し操舵であるかにかかわらず慣性補償ゲインＫｉを“１”に設定するようにしてもよい。
【００７６】
さらに、上記実施形態においては、車両の横加速度Ｇｙを横加速度センサ４３で検出する場合について説明したが、これに限定されるものではなく、ステアリング機構ＳＭの操舵角と車速Ｖｘとに基づいて横加速度Ｇｙを推定するようにしてもよい。
さらにまた、上記実施形態においては、ヨーレートγ、横加速度Ｇｙ及び車両運動モデルに基づいて横力Ｆｙを推定し、この横力Ｆｙに基づいて実際に車両に作用するセルフアライニングトルクを推定する場合について説明したが、ハブ等に横力センサを設け、この横力センサで直接横力を検出し、これを用いてセルフアライニングトルク推定値ＳＡＴｐを算出してもよい。
【００７７】
また、横力Ｆｙを用いずに、水平面における車両運動モデルと、車速Ｖｘ及び操舵角δとを用いてセルフアライニングトルクを推定してもよい。
つまり、ヨーレートγとスリップ角βと車速Ｖｘと操舵角δとの関係は、次式（８）及び（９）で表すことができる。
ｍＶｘ・(ｄβ／ｄｔ)
＝−[ｍＶｘ＋[(Ｋｆ・Ｌｆ−Ｋｒ・Ｌｒ)/Ｖｘ]]・γ−(Ｋｆ＋Ｋｒ)・β＋Ｋｆ・δ/ｎ
……（８）
Ｉ・(ｄγ／ｄｔ)
＝−[(Ｋｆ・Ｌｆ2＋Ｋｒ・Ｌｒ2)/Ｖｘ]・γ＋(−Ｋｆ・Ｌｆ＋Ｋｒ・Ｌｒ)・β
＋Ｋｆ・Ｌｆ・δ/ｎ
……（９）
【００７８】
なお、（８）及び（９）式中の、ｍは車両重量、Ｉは車両重心を通るＺ軸回りの慣性モーメント、Ｌはホイールベース（Ｌ＝Ｌｆ＋Ｌｒ）、Ｌｆ，Ｌｒは、前，後車軸から重心までの水平距離、Ｋｆ，Ｋｒは、前，後タイヤのコーナリングパワー、ｎはオーバーオールステアリングギア比、δ／ｎは前輪実舵角、βは車体重心のスリップ角、Ｖｘは車速、γはヨーレートである。
【００７９】
セルフアライニングトルクはヨーレートγとスリップ角βの関数として表すことができることから、ヨーレートγとスリップ角βとを車速Ｖｘと操舵角δとの関数として整理すれば、セルフアライニングトルク推定値ＳＡＴｐを求めることができる。車速Ｖｘと操舵角δよりセルフアライニングトルク推定値ＳＡＴｐを求めると、図１２に示すようになる。この特性は実験によって車両毎の特性値を測定してから、車両運動モデルを用いてシミュレーションによって作成してもよい。
【００８０】
したがって、この場合には、図１３に示すように、車速センサ（車速検出手段）２１で検出した車速Ｖｘと、図示しない操舵角センサ（操舵角検出手段）で検出した操舵角δとをＳＡＴ推定部４１に入力し、このＳＡＴ推定部４１で、図１２の特性図にしたがってセルフアライニングトルク推定値ＳＡＴｐを算出すればよい。
さらに、上記実施形態においては、モータ角速度ωｍ、モータ角加速度αｍ、操舵トルクＴ及び操舵補助電流指令値Ｉｒｅｆに基づいてセルフアライニングトルクＳＡＴを推定する場合について説明したが、これに限定されるものではなく、操舵補助電流指令値Ｉｒｅｆに代えて、モータ電流検出部７０で検出したモータ電流Ｉａ〜Ｉｃを３相／２相変換してｑ軸電流Ｉｑを算出し、このｑ軸電流Ｉｑとモータ角加速度αｍとに基づいて下記（１０）式の演算を行って算出したモータアシストトルクＴｍａを適用するようにしてもよい。
Ｔｍａ= Ｋｔ・Ｉｑ−Ｊｍ・α  ｍ  ……（１０）
ここで、Ｋｔはモータのトルク定数、Ｊｍはモータのロータ部の慣性モーメントである。
【００８１】
この他、電動モータ１２の出力軸、減速機１１の入出力軸等のトルク伝達軸に磁歪式トルクセンサなどのトルクセンサを配設し、このトルクセンサで検出したモータアシストトルクＴｍａを適用するようにしてもよい。
【００８２】
さらにまた、上記実施形態においては、ステアリングシャフト２に減速機１１を介して電動モータ１２を連結したコラム形式の電動パワーステアリング装置に本発明を適用した場合について説明したが、これに限定されるものではなく、ステアリングギヤ機構８に減速機構を介して電動モータを連結するピニオン形式の電動パワーステアリング装置やラック軸に減速機を介して電動モータを連結するラック形式の電動パワーステアリング装置にも本発明を適用することができる。
【００８３】
なおさらに、上記実施形態においては、本発明をブラシレスモータに適用した場合について説明したが、これに限定されるものではなく、ブラシ付きモータに適用する場合には、図１４に示すように、角速度演算部３１でモータ電流検出部７０から出力されるモータ電流検出値Ｉｍ及び端子電圧検出部９０から出力されるモータ端子電圧Ｖｍに基づいて下記（１１）式の演算を行ってモータ角速度ωｍを算出すると共に、ｄ−ｑ軸電流指令値演算部２６を省略して補償後操舵補助電流指令値Ｉｒｅｆ′を直接モータ電流制御部２８に供給し、さらにモータ電流制御部２８を夫々１つの減算部７１、電流制御部７２、パルス幅変調部７３とインバータ７４に代えたＨブリッジ回路９１で構成すればよい。
【００８４】
ωｍ＝（Ｖｍ−Ｉｍ・Ｒｍ）／Ｋ0        …………（１１）
ここで、Ｒｍはモータ巻線抵抗、Ｋ0はモータの起電力定数である。
【図面の簡単な説明】
【００８５】
【図１】本発明を適用した電動パワーステアリング装置の概略構成を示す図である。
【図２】コントローラの具体的構成を示すブロック図である。
【図３】コントローラの操舵補助電流指令値演算部で使用する操舵補助電流指令値算出マップを示す特性線図である。
【図４】セルフアライニングトルクの説明に供する模式図である。
【図５】タイヤの進行方向とスリップ角によるセルフアライニングトルク及び横力の関係を示す図である。
【図６】横力の着力点とトレールとの関係を示す図である。
【図７】スリップ角の変化に対する、横力及びセルフアライニングトルクの変化を示すグラフである。
【図８】セルフアライニングトルク検出値ＳＡＴｄとセルフアライニングトルク推定値ＳＡＴｐとの関係を表すグラフである。
【図９】補償ゲイン演算部で実行する補償ゲイン演算処理の一例を示すフローチャートである。
【図１０】補償ゲイン演算部で使用する慣性補償ゲイン算出マップを示す特性線図である。
【図１１】コントローラの処理手順の一例を示すフローチャートである。
【図１２】操舵角δとセルフアライニングトルクの推定値ＳＡＴとの関係を表す特性図である。
【図１３】本発明におけるコントロールユニットのその他の例を示すブロック図である。
【図１４】ブラシ付きモータを適用した場合の実施形態を示すブロック図である。
【符号の説明】
【００８６】
１  ステアリングホイール
２  ステアリングシャフト
１２  電動モータ
１４  操舵トルクセンサ
１５  コントローラ
１６  車速センサ
１７  回転角センサ
２１  操舵補助電流指令値演算部
２２  指令値補償部
２３  グリップロス検出部
２４  ステア状態検出部
２５  補償値補正部
２６  ｄ−ｑ軸電流指令値演算部
２７  モータ電流制御部
３３  収斂性補償部
３４  慣性補償部
３５  ＳＡＴ検出部
３６  ＳＡＴ補償部
４1  ＳＡＴ推定部
４２  ヨーレートセンサ
４３  横加速度センサ
４４  横力検出部
４５  操舵角センサ
５１  補償ゲイン演算部
５２  乗算器
【図１】
0005233268.tif 000002
【図２】
0005233268.tif 000003
【図３】
0005233268.tif 000004
【図４】
0005233268.tif 000005
【図５】
0005233268.tif 000006
【図６】
0005233268.tif 000007
【図７】
0005233268.tif 000008
【図８】
0005233268.tif 000009
【図９】
0005233268.tif 000010
【図１０】
0005233268.tif 000011
【図１１】
0005233268.tif 000012
【図１２】
0005233268.tif 000013
【図１３】
0005233268.tif 000014
【図１４】
0005233268.tif 000015